(57)【要約】      （修正有）【課題】フレームをできる限り単純な構造として、製造コストを下げ、軽くすること、及びフレームをより軽くし移動を容易に行える撮影台を提供する。【解決手段】Ｘ線受像部１と、Ｘ線受像部１を上下動可能に支持するフレーム２と、フレーム２を床面上に固定する脚部３を備える立位型Ｘ線撮影台において、フレーム２をカーボン製の細長い板状体をリング状に折り曲げて形成したものとし、フレーム２の前面側にはＬＥＤ４をマトリクス状に横へ３個、縦へ９０個並べた表示器５を設置する。【選択図】図１
2019180854.tif 000002
【特許請求の範囲】
【請求項１】
被検者を透過したＸ線を検出するＸ線受像部と、該Ｘ線受像部を上下動可能に支持するフレームと、該フレームを床面上に固定する脚部を備える立位型Ｘ線撮影台であって、
前記フレームは、一本の細長い板状体又は柱状体をリング状に折り曲げて形成されたものである
ことを特徴とする立位型Ｘ線撮影台。
【請求項２】
前記板状体又は柱状体は、繊維強化プラスチック製又は金属製である
ことを特徴とする請求項１記載の立位型Ｘ線撮影台。
【発明の詳細な説明】
【技術分野】
【０００１】
本発明は、被検者を透過したＸ線を検出するＸ線受像部と、Ｘ線受像部を上下動可能に支持するフレームを備える立位型Ｘ線撮影台に関するものである。
【背景技術】
【０００２】
従来、立位型Ｘ線撮影台においては、Ｘ線受像部を上下動可能に支持するフレームを床面に対して垂直に固定している。
フレームの構造には様々なものがあり、例えば、特許文献１（特開２０１６−６７６９３号公報）に記載されているＸ線撮影装置(1)においてフレームに相当する支柱(8)は、縦長の箱状の躯体の表面をカバーで覆って構成され、正面側には上下方向に向けて２本のガイド(801)が形成されている（特に、段落００２６及び図１〜３を参照）。
【０００３】
また、特許文献２（実公昭５６−４３７７８号公報）に記載されているＸ線写真撮影台においてフレームに相当する支柱(1a)及び(1b)は、脚台６に固定された脚柱(7a)、(7b)内に嵌挿され、上端を連結部材(8)で固定されている（特に、第１頁右欄第１７〜１９行及び第１図を参照）。
しかし、従来の立位型Ｘ線撮影台おけるフレームは、全体がカバーで覆われていたり、複数の部材を組み合わせて構成されたりしていたため、構造が複雑で製造コストが高くなる、重量がかさんで撮影台の移動が重労働になるといった問題があった。  
【先行技術文献】
【特許文献】
【０００４】
【特許文献１】特開２０１６−６７６９３号公報
【特許文献２】実公昭５６−４３７７８号公報
【発明の概要】
【発明が解決しようとする課題】
【０００５】
本発明は、立位型Ｘ線撮影台において、フレームをできる限り単純な構造として、製造コストを下げ、軽くすることを第一の課題としてなされたものである。
また、本発明は、フレームの材質を加工性の良いものとして容易に製造できるようにすること並びにフレームの材質を軽くて強いものとしてフレーム及び立位型Ｘ線撮影台の重量をより軽くし、撮影台の移動を容易に行えるようにすることを第二の課題としてなされたものである。
【課題を解決するための手段】
【０００６】
請求項１に係る発明は、被検者を透過したＸ線を検出するＸ線受像部と、該Ｘ線受像部を上下動可能に支持するフレームと、該フレームを床面上に固定する脚部を備える立位型Ｘ線撮影台であって、
前記フレームは、一本の細長い板状体又は柱状体をリング状に折り曲げて形成されたものであることを特徴とする。
【０００７】
請求項２に係る発明は、請求項１に記載の立位型Ｘ線撮影台において、前記板状体又は柱状体は、繊維強化プラスチック製又は金属製であることを特徴とする。
【発明の効果】
【０００８】
請求項１に係る発明の立位型Ｘ線撮影台によれば、フレームが一本の細長い板状体又は柱状体をリング状に折り曲げて形成されているので、フレームの構造を単純化できる、製造コストを下げることができる、重量を軽くすることができるといった効果を奏する。
また、フレームの垂直部分に継ぎ目等がないので、Ｘ線受像部の可動範囲が広がるという効果も奏する。
【０００９】
請求項２に係る発明によれば、請求項１に係る発明の立位型Ｘ線撮影台による効果に加え、板状体又は柱状体が繊維強化プラスチック製又は金属製であるため、加工性が良く容易に製造することができる。
さらに、カーボン製や軽金属製とした場合には、フレームをより軽くすることができ、撮影台の移動をより容易に行うことができる。
【図面の簡単な説明】
【００１０】
【図１】実施例の立位型Ｘ線撮影台を正面側から見た斜視図。
【図２】実施例の立位型Ｘ線撮影台の背面図。
【発明を実施するための形態】
【００１１】
以下、実施例によって本発明の実施形態を説明する。
【実施例】
【００１２】
図１は、実施例の立位型Ｘ線撮影台を正面側から見た斜視図であり、図２は、実施例の立位型Ｘ線撮影台の背面図である。
実施例の立位型Ｘ線撮影台は、図１、２に示すように、被検者を透過したＸ線を検出するＸ線受像部１、Ｘ線受像部１を上下動可能に支持するフレーム２、フレーム２の下部に取り付けられ、Ｘ線受像部１及びフレーム２が倒れないようにフレーム２を床面上に固定する脚部３、フレーム２の前面側を覆い、中央部に多数の発光ダイオード（以下「ＬＥＤ」という。）４を有する表示器５、フレーム２の両側面に設置された把手部６並びにフレーム２の背面側を覆うプラスチック製のカバー７を備えている。
【００１３】
フレーム２は、一本の細長い板状体をリング状に折り曲げ、下部の中央付近で両端部を継ぎ合わせて形成してある。
フレーム２は、カーボン製（「炭素繊維強化プラスチック製」、「ＣＦＲＰ製」とも呼ばれる。）であり、軽くて強度が高いのでフレーム２を非常に軽くすることができる。
ちなみに、実施例のフレーム２は１７ｋｇ前後であり、従来の立位型Ｘ線撮影台に用いられているフレームの重量（約４０ｋｇ）と比べ、半分以下の重さとすることができた。
【００１４】
表示器５は、ＬＥＤ４をマトリクス状に横へ３個、縦へ９０個並べたものであり、正方形状、長方形状、三角形状、矢印状等の図形や記号を表示することができる。
なお、図２はＬＥＤ７を９個用いて正方形状の図形を表示した状態である。
また、表示器５を用いて、図形や記号を移動させながら表示したり点滅させたりすることもできるので、Ｘ線受像部１を上下動させる時や撮影する時に適当な表示を行うことによって、被検者に上下動や撮影タイミング等を報知することができる。
【００１５】
実施例の変形例を列記する。
（１）実施例においては、一本の細長い板状体をリング状に折り曲げてフレーム２を形成したが、一本の細長い柱状体（例えば、角柱状の棒、円柱状の棒等）をリング状に折り曲げて形成しても良い。
（２）実施例においては、一本の細長い板状体をリング状に折り曲げ、下部の中央付近で両端部を継ぎ合わせてフレーム２を形成したが、上部の中央付近で両端部を継ぎ合わせても良い。
（３）実施例においては、フレーム２をカーボン製としたが、炭素繊維以外の繊維を用いた繊維強化プラスチック製（「ＦＲＰ製」とも呼ばれる。）としても良く、また、金属製（例えば、鉄製、ステンレス製又はアルミニウム製、アルミニウム合金製、チタン製、チタン合金製、マグネシウム合金製等の軽金属製）としても良い。
【００１６】
（４）実施例の表示器４は、ＬＥＤ５をマトリクス状に多数並べ、フレーム２の上方から下方まで細長く設置されていたが、フレーム２の上方（床からの高さ１４０〜１７０ｃｍ程度）のみに設置しても良い。
（５）実施例の表示器４は、ＬＥＤ５をマトリクス状に横へ３個、縦へ９０個並べたものであったが、さらに多くのＬＥＤ５をマトリクス状に並べたもの（例えば、横へ１２個、縦へ３６０個）とし、図形や記号だけでなく文字を表示できるようにしても良い。
（６）実施例の表示器４は、ＬＥＤ５をマトリクス状に多数並べたＬＥＤ表示器であったが、ＬＥＤ表示器に代えて液晶表示器、ＥＬ表示器、７セグメント表示器等としても良く、複数個のランプを設置するだけでも良い。
なお、複数個のランプを設置するだけとした場合、ランプの色を変えるとともに状況によって異なる色のランプを点灯させたり、「ご注意下さい」、「動きます」、「あごを当て胸をつけて下さい」、「大きく息を吸って止めて下さい」、「撮影しました」及び「お疲れ様でした、退室して下さい」といった文字表示板を設置しておくとともに状況に応じて適した文字表示板の近くや裏側に設置してあるランプを点灯させたりするとより良い。
【符号の説明】
【００１７】
１  Ｘ線受像部      ２  フレーム      ３  脚部
４  ＬＥＤ      ５  表示器      ６  把手部      ７  カバー
【図１】
2019180854.tif 000003
【図２】
2019180854.tif 000004